(57)【要約】  仕分け情報（ＳＡＣ）を表示する電子タグ（１１）と、トラック（７００）を例とする車両内に配置されたコントローラ（７０１）及びアクセスポイント（７０２）とが行う電子タグ（１１）の更新方法および電子タグ（１１）の更新システムである。  コントローラ（７０１）が、電子タグ（１１）の情報、および当該電子タグ（１１）が固定される荷物（５２）の情報に対応する仕分け情報（ＳＡＣ）を送信するように外部サーバ（７３）へリクエストし（５）、取得した仕分け情報（ＳＡＣ）をアクセスポイント（７０２）へ送信する（７）。さらにアクセスポイント（７０２）が仕分け情報（ＳＡＣ）を電子タグ（１１）に送信し、電子タグ（１１）が仕分け情報（ＳＡＣ）の表示を更新する（８）。  このようにすることで、配送中の空き時間を活用して、電子タグ（１１）の更新を行う事ができる。
2019135339.tif 000002
【特許請求の範囲】
【請求項１】
仕分け情報を表示する電子タグと、  車両内に配置されたコントローラ及びアクセスポイントと、が行う  前記電子タグの更新方法であって、  前記電子タグの更新方法は、  前記コントローラが、  前記電子タグの情報、および当該電子タグが固定される荷物の情報に対応する前記仕分け情報を送信するように外部サーバへリクエストし、取得した前記仕分け情報を前記アクセスポイントへ送信し、  前記アクセスポイントが、  前記仕分け情報を前記電子タグに送信し、  前記電子タグが、  前記仕分け情報の表示を更新する、  電子タグの更新方法。
【請求項２】
前記電子タグは前記仕分け情報の表示の更新を行った旨を前記アクセスポイントに完了通知として通知し、  前記アクセスポイントは前記完了通知を受けた電子タグに関する情報を前記コントローラに送信し、  前記コントローラは、前記完了通知を受けた電子タグに表示する前記仕分け情報を除いて、前記外部サーバへ前記仕分け情報を送信するようにリクエストを行う、  請求項１に記載の電子タグの更新方法。
【請求項３】
前記車両は、前記車両が目的地に着いたか否かを示す到着情報を生成し、  前記完了通知を通知していない前記電子タグが前記車両内に存在し、かつ前記到着情報が前記車両が目的地に着いた旨を示す場合は、  前記完了通知を通知していない前記電子タグを前記車両から搬出しないよう出力を行う、  請求項２に記載の電子タグの更新方法。
【請求項４】
前記コントローラは、所定の時刻を経過するまでは、  前記外部サーバへ前記仕分け情報を送信するようにリクエストを行わない、  請求項１に記載の電子タグの更新方法。
【請求項５】
仕分け情報を表示する電子タグと、  車両内に配置されたコントローラ及びアクセスポイントと、が行う前記電子タグの更新システムであって、  前記電子タグの更新システムは、  前記コントローラが、  前記電子タグの情報、および当該電子タグが固定される荷物の情報に対応する前記仕分け情報を送信するように外部サーバへリクエストし、取得した前記仕分け情報を前記アクセスポイントへ送信し、  前記アクセスポイントが、  前記仕分け情報を前記電子タグに送信し、  前記電子タグが、  前記仕分け情報の表示を更新する、  電子タグの更新システム。
【請求項６】
前記電子タグは前記仕分け情報の表示の更新を行った旨を前記アクセスポイントに完了通知として通知し、  前記アクセスポイントは前記完了通知を受けた電子タグに関する情報を前記コントローラに送信し、  前記コントローラは、前記完了通知を受けた電子タグに表示する前記仕分け情報を除いて、前記外部サーバへ前記仕分け情報を送信するようにリクエストを行う、  請求項５に記載の電子タグの更新システム。
【請求項７】
前記車両は、前記車両が目的地に着いたか否かを示す到着情報を生成し、  前記完了通知を通知していない前記電子タグが前記車両内に存在し、かつ前記到着情報が前記車両が前記目的地に着いた旨を示す場合は、  前記完了通知を通知していない前記電子タグを前記車両から搬出しないよう出力を行う、  請求項６に記載の電子タグの更新システム。
【請求項８】
前記コントローラは、所定の時刻を経過するまでは、  前記外部サーバへ前記仕分け情報を送信するようにリクエストを行わない、  請求項５に記載の電子タグの更新システム。
【発明の詳細な説明】
【技術分野】
【０００１】  本開示は、荷物の仕分けまたは配送（以下単に仕分けという）に有用な電子タグの更新方法および電子タグの更新システムに関する。
【背景技術】
【０００２】  近年の経済活動の高まりに伴い、荷物の流通量は増大する一方である。荷物の流通工程において、荷物を行先別に仕分ける仕分け作業は時間のかかる工程である。【０００３】  特許文献１は、移動する荷物を追跡し、荷物から読み取った荷物に関する情報と当該荷物の位置の情報に基づき、表示する画像を決定し、プロジェクタから画像を荷物に投射して画像を荷物上に表示するシステムを開示している。
【先行技術文献】
【特許文献】
【０００４】
【特許文献１】米国特許第７０９０１３４号明細書
【発明の概要】
【０００５】  しかしながら、昨今荷物の流通量はますます増大するとともに、荷物の種類も様々なものとなっており、荷物をより効率的かつ正確に仕分ける技術が求められている。
【０００６】  本開示は、荷物の仕分けをより効率的かつ正確に行うための電子タグ技術に関する。
【図面の簡単な説明】
【０００７】
【図１】図１は本開示の電子タグの外見を示す概略図である。
【図２】図２は本開示の電子タグのブロック図である。
【図３】図３は本開示の電子タグの他の例の外見を示す概略図である。
【図４】図４は本開示の電子タグの他の例の外見を示す概略図である。
【図５Ａ】図５Ａはアジャスタブル素材を用いて本開示の電子タグを荷物に取り付ける様子を示す概念図である。
【図５Ｂ】図５Ｂはアジャスタブル素材を用いて本開示の電子タグを荷物に取り付ける様子を示す概念図である。
【図５Ｃ】図５Ｃはアジャスタブル素材を用いて本開示の電子タグを荷物に取り付ける様子を示す概念図である。
【図６Ａ】図６Ａはストレッチキャップを用いて本開示の電子タグを荷物に取り付ける様子を示す概念図である。
【図６Ｂ】図６Ｂはストレッチキャップを用いて本開示の電子タグを荷物に取り付ける様子を示す概念図である。
【図６Ｃ】図６Ｃはストレッチキャップを用いて本開示の電子タグを荷物に取り付ける様子を示す概念図である。
【図７Ａ】図７Ａは本開示のトラック内での電子タグの更新について説明する概念図である。
【図７Ｂ】図７Ｂはコントローラにおけるアクセスポイントが同期するタグに関するデータベースを示す図である。
【図８Ａ】図８Ａは本開示の仕分け工場での電子タグの更新について説明する概念図である。
【図８Ｂ】図８Ｂはステップ（１）におけるコントローラのデータベースの内容を示す図である。
【図８Ｃ】図８Ｃはステップ（５）の後におけるコントローラのデータベースの内容を示す図である。
【図９】図９は電子タグのピックアップと同時にＳＡＣを更新する方法について説明する概念図である。
【図１０】図１０は本開示のタグイジェクタの構成を示す図である。
【発明を実施するための形態】
【０００８】  以下、適宜図面を参照しながら、本開示に係る電子タグおよびその制御方法を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより請求の範囲に記載の主題を限定することは意図されていない。
【０００９】  以下、図面を用いて本開示の実施の形態を説明する。
【００１０】  ［電子タグの構成］  図１から図４を用いて本開示の実施の形態における電子タグを説明する。
【００１１】  図１は本開示の電子タグの外見を示す概略図である。電子タグ１１（電子仕分け補助タグ（ＥＳＡＴ＝（Ｅｌｅｃｔｒｏｎｉｃ  Ｓｏｒｔ  Ａｓｓｉｓｔ  Ｔａｇ）ともいう）は大まかに表示装置とその他の構成要素からなる。図１に示される例においては、利用者から視認されるものはディスプレイおよび外装であって、その他の構成要素は電子タグの内部に収容されている。なお、必要に応じて電子タグへの入力操作に必要なインプットデバイス（ボタン、タッチパネル、ポインタ）も利用者から視認される位置に配置されてもよいが、本開示においては図示を省略する。
【００１２】  ディスプレイ１２は画像、文字などを表示する装置である。本開示においては表示装置の一例として電子ペーパーを使用する例を説明する。
【００１３】  その他の構成要素１３には、本開示の技術を実現するために必要な電子部品（ＮＦＣ（Ｎｅａｒ  Ｆｉｅｌｄ  Ｃｏｍｍｕｎｉｃａｔｉｏｎ）モジュール、ＷｉＦｉ（Ｗｉｒｅｌｅｓｓ  Ｆｉｄｅｌｉｔｙ）モジュールならびにプログラムされたＣＰＵ（Ｃｅｎｔｒａｌ  Ｐｒｏｃｅｓｓｉｎｇ  Ｕｎｉｔ）等が配置される。
【００１４】  図２は本開示の電子タグのブロック図である。
【００１５】  ＣＰＵ２１は電子タグの他の要素を制御する。
【００１６】  インプットデバイス２２はボタン、タッチパネル、ポインタなどからなる。インプットデバイスへ２２の入力はＣＰＵ２１に伝達され、ＣＰＵ２１が当該入力に基づいて他の要素を制御する。
【００１７】  コミュニケーションデバイス２３はＮＦＣモジュール、ＷｉＦｉモジュールなどの通信モジュールなどからなる。コミュニケーションデバイス２３が受信した内容はＣＰＵ２１に伝達され、ＣＰＵ２１が当該内容に基づいて他の要素を制御する。コミュニケーションデバイスはＣＰＵ２１から制御されて、他のデバイスに情報の送信を行う。
【００１８】  メモリ２４は内容を恒常的または一時的に記録するもの（ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ））の総称であり、ＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）、ＤＲＡＭ（Ｄｙｎａｍｉｃ  ＲＡＭ）などが含まれる。ＣＰＵ２１はメモリ２４に記録された情報に基づいて他の要素の制御を行う。メモリ２４はＣＰＵ２１に制御されて情報が書き込まれる。
【００１９】  上述したディスプレイ１２も同様に、ＣＰＵに制御されて情報の表示を行う。
【００２０】  図３は本開示の電子タグの他の例の外見を示す概略図である。
【００２１】  図３に示す電子タグ３１は構造が図１に示す電子タグ１１と異なる。一方で機能的には、電子タグ３１は図１と同等のディスプレイ３２およびその他の部品３３を備える。
【００２２】  図３に示す電子タグの構造において、上面図は図１とほぼ同様である。しかし、図３に示す電子タグにおいては側面図に示されるように、電子タグの外縁部３４が下り勾配となっている。このようにすると電子タグが荷物に張り付けられた際に、他の荷物へエッジが接触することを防ぐことができる利点がある。
【００２３】  図４は本開示の電子タグの他の例の外見を示す概略図である。
【００２４】  図４に示す電子タグ４１は構造が図１に示す電子タグ１１と異なる。一方で機能的には、電子タグ４１は図１と同等のディスプレイ４２およびその他の部品４３を備える。
【００２５】  図４に示す電子タグの構造において上面図は図１とほぼ同様である。図４に示す電子タグにおいては側面図に示されるように、電子タグの外縁部に衝撃吸収部材４４（一例としてはラバーバンパー）が配置されている。このようにすると電子タグが荷物に張り付けられた際に、荷物に対する衝撃によって電子タグが故障することを防止することができる。
【００２６】  ［電子タグの荷物に対する取り付け］  図５Ａ、図５Ｂ、図５Ｃおよび図６Ａ、図６Ｂ、図６Ｃを用いて本開示の実施の形態における電子タグの荷物に対する取り付けを説明する。
【００２７】  図５Ａ、図５Ｂ、図５Ｃはアジャスタブル素材を用いて本開示の電子タグを荷物に取り付ける様子を示す概念図である。図５Ａに示される斜視図、図５Ｂに示される上面図、図５Ｃに示される側面図らに示されように電子タグ１１は脚状のアジャスタブル素材５１を介して荷物（箱）５２に取り付けられている。このようにすると電子タグ１１を直接荷物５２に張り付ける必要がないため、電子タグ１１の再利用を簡単に行うことができる。また、荷物５２に対する振動が電子タグ１１に伝達する度合いを低減することもできる。また、アジャスタブル素材５１を荷物５２に固定することで電子タグ１１の装着が完了するため、荷物５２のサイズに依存せずに電子タグ１１の取り付けを行うことができる。アジャスタブル素材５１を構成する具体的素材としては内部にバネなどが仕込まれたプラスチック、スライダー構造が形成されたプラスチックゴム、編まれた繊維などが考えられる。アジャスタブル素材５１を荷物５２に固定する方法は種々のものが考えられる。一例としては（１）アジャスタブル素材５１の一部が鉤状になっており当該部分を荷物５２に引っ掛ける（２）アジャスタブル素材５１がループ状になっており荷物５２に巻き付ける（３）アジャスタブル素材５１の一部が粘着質、あるいはファスナーテープ類似の構造になっており、当該部分を荷物５２と面接触することで固定される、などが考えられる。電子タグ１１をアジャスタブル素材５１に固定する方法も種々のものが考えられる。一例としては（１）電子タグ１１あるいはアジャスタブル素材５１の一部が鉤状になっており当該部分を他方に引っ掛ける（２）アジャスタブル素材５１がループ状になっており荷物に巻き付ける（３）電子タグ１１あるいはアジャスタブル素材５１の一部が粘着質、あるいはファスナーテープ類似の構造になっており、当該部分を他方と面接触することで固定される（４）双方に専用のロック構造が備わっている、などが考えられる。
【００２８】  図６Ａ、図６Ｂ、図６Ｃはストレッチキャップを用いて本開示の電子タグを荷物に取り付ける様子を示す概念図である。図６Ａに示す斜視図、図６Ｂに示す上面図、図６Ｃに示す側面図に示されように電子タグ１１は帽子状のストレッチキャップ６１を介して荷物５２に取り付けられている。このようにすると電子タグ１１を直接荷物に張り付ける必要がないため、電子タグの再利用を簡単に行うことができる。また、荷物に対する振動が電子タグ１１に伝達する度合いを低減することもできる。また、ストレッチキャップ６１を荷物にかぶせることで電子タグ１１の装着が完了するため、荷物５２のサイズに依存せずに電子タグ１１の取り付けを行うことができる。ストレッチキャップ６１を荷物に固定する方法の一例としては縮んだ状態のストレッチキャップ６１を押し広げて荷物にかぶせることが考えられる。電子タグ１１をストレッチキャップ６１に固定する方法も種々のものが考えられる。一例としては（１）電子タグ１１あるいはストレッチキャップ６１の一部が鉤状になっており当該部分を他方に引っ掛ける（２）電子タグ１１あるいはストレッチキャップ６１の一部が粘着質、あるいはファスナーテープ類似の構造になっており、当該部分を他方と面接触することで固定される（３）双方に専用のロック構造が備わっている、などが考えられる。
【００２９】  ［電子タグの動作］  本開示の電子タグには仕分け工場内、仕分け（配送）トラック付近、配送工場内、配送元、配送先等で行われる仕分けに役立つ情報（単に仕分け情報ともいう）（ｓｏｒｔ  ａｓｓｉｓｔ  ｃｏｎｔｅｎｔ＝ＳＡＣ）が表示される。仕分けに役立つ情報の一例としては、  −仕分け工場内のどのコンベヤに荷物を乗せるかにかかわる情報  −トラックのどの位置に荷物を積むかにかかわる情報  −どの配送工場（または仕分け工場）に配送するかにかかわる情報（積み荷出口（ｌｏｒｄ  ｄｏｏｒ）など）  −配送元、配送先を特定、あるいは配送元配送先が属するグループを特定する情報などが挙げられる。
【００３０】  以下、これらのＳＡＣがどのようにして電子タグに表示されるかを、主に電子タグの更新タイミング別に分けて、複数の例を挙げて説明する。
【００３１】  ［トラック内での更新］  図７Ａは本開示における、トラック内での電子タグの更新について説明する概念図である。トラック７００内にはコントローラ７０１およびアクセスポイント７０２が配置されている。コントローラはメモリ、ＣＰＵ等を有する計算機である。アクセスポイントは通信機能を有する。
【００３２】  トラック内での電子タグの更新は以下のように行われる。なお、各例にとって共通するデータの内容およびデータ更新の手順の詳細については図８Ａ、図８Ｂ、図８Ｃ、図９内の記載も参照して解釈されるべきである。
【００３３】  ステップ（１）：作業員７１が電子タグ１１をピックアップする。作業員７１は手元の情報読み取り装置７２を用いて荷物５２および電子タグ１１の情報（一例としてはバーコード）を読み取る。読み取られた情報はトラック７３内のコントローラ７０１に送信される。作業員７１は電子タグ１１を上述した方法で荷物５２に張り付ける。作業員７１は荷物５２をトラック７３に積む。
【００３４】  ステップ（２）：コントローラ７０１がアクセスポイント７０２に対して電子タグ１１と同期するようリクエストを送る。
【００３５】  ステップ（３）：電子タグ１１がアクセスポイント７０２と同期する。この同期によって電子タグ１１とアクセスポイント７０２が通信可能になる。電子タグ１１は所定間隔（一例では１５秒）置きにアクセスポイント７０２との同期を試みる。当該所定間隔はアクセスポイント７０２においても既知であるため、すべての電子タグに対して１５秒以内で同期が完了するように設計されている。
【００３６】  ステップ（４）：アクセスポイント７０１が電子タグ１１に対して同期がとれたことを通知する。
【００３７】  ステップ（５）：コントローラ７０１が外部サーバ（Ｓｏｒｔ  Ｄｅｃｉｓｉｏｎ  Ｓｅｒｖｅｒ）７３に対して、電子タグ１１に対するＳＡＣを送信するよう要求する。なおここで、後述するステップ（９）によってアップデートが確認された電子タグ１１に関するＳＡＣについては外部サーバ７３に対する送信要求から除外するようにしてもよい。このようにすると、コントローラの７０１通信量が低減することに加えて、電子タグ１１がアップデートされる回数も低減するので、電子タグ１１の消費電力を低減させることができる。また、コントローラ７０１が外部サーバ７３に対して、電子タグ１１に対するＳＡＣを送信するよう要求するタイミングは所定の時刻経過後（一例としては午後３時すぎ）としてもよい。この所定の時刻は外部サーバ７３においてＳＡＣの更新がされる時刻とする。このようにすると、コントローラ７０１の通信量が低減することに加えて、電子タグ１１がアップデートされる回数も低減するので、電子タグ１１の消費電力を低減させることができる。また、コントローラ７０１は定期的に外部サーバ７３に対して電子タグ１１に対するＳＡＣを送信するよう要求する。
【００３８】  ステップ（６）：外部サーバ７３がＳＡＣをコントローラ７０１に返信する。図７Ｂはコントローラにおけるアクセスポイントが同期するタグに関するデータベースである（なお同様のデータベースが外部サーバ７３においても同期して保持されている）。データベースには電子タグナンバー（電子タグ１１固有の数値）、電子タグ１１の物理アドレス（電子タグのバーコードによって示されるなどする）、電子タグとの同期時刻（Ｗａｋｅ  ｕｐ  ｔｉｍｅ）、電子タグ１１が張り付けられた荷物５２の情報（一例として荷物のバーコード）、電子タグ１１に表示されるＳＡＣ、電子タグ１１がアップデートされたか否かを示す情報、などが関連付けて保存されている。電子タグ１１に対するＳＡＣは外部サーバ７３において、荷物情報を元に決定されている。図７Ｂに示されるように、電子タグＴ２，Ｔ３においてはいまだ外部サーバ７３においてＳＡＣが決定されていないので、ＳＡＣは送信されない。
【００３９】  ステップ（７）：コントローラ７０１がアクセスポイント７０２に対してステップ（６）で受信したＳＡＣを送信する。コントローラ７０１はアクセスポイント７０２に対して、電子タグ１１へＳＡＣのアップデートをするように命令する。
【００４０】  ステップ（８）：アクセスポイント７０２からＳＡＣを送られた電子タグ１１が当該ＳＡＣを表示する。電子タグ１１はアクセスポイント７０２に対してアップデートが完了した旨を通知する。
【００４１】  ステップ（９）：アクセスポイント７０２がコントローラ７０１に対して、どの電子タグ１１がアップデートを完了したかを示す情報を通知する（これらの情報に基づいて図７Ｂに示す表がアップデートされる）。
【００４２】  以上に述べたトラック内での電子タグ更新手法によれば、配送時間という空き時間を使用して、効率的に電子タグ１１の更新を行うことができる。また、以上の構成に加えてその他の構成を付け加えてもよい。例えば、トラック７００が集荷先についたか否かを示す情報を別途トラック内に配置された地理的センサまたは運転手などから取得することで、より効率的に電子タグ１１の更新を行うことができる。例えば、トラック７００が集荷先についたにも関わらずすべての電子タグ１１の更新が終わっていない場合は、すべての電子タグ１１の更新／あるいは更新の終わってない電子タグ１１の更新が終わるまで当該タグを付した荷物をトラックから降ろさないように促す通知を外部（ディスプレイ、スピーカーなど）へ出力するようにしてもよい。
【００４３】  ［仕分け工場内での更新］  図８Ａは本開示における、仕分け工場での電子タグの更新について説明する概念図である。工場内にはコントローラ８０１およびアクセスポイント８０２が配置されている。コントローラ８０１はメモリ、ＣＰＵ等を有する計算機である。アクセスポイント８０２は通信機能を有する。また工場内にはトラックの荷下し場付近にコンベヤが配置されている。
【００４４】  図８Ａにおける更新は図７Ａに示したトラック内での更新に代替するものでもあるし、図７Ａで示したトラック内での更新を補完するように両立して使用されるものであってもよい。
【００４５】  仕分け工場内での電子タグの更新は以下のように行われる。なお上述したトラック内での更新で説明した事項と同一または類似する事項については説明を省略する場合がある。また、図７Ａ、図９よりも詳細に記載を行う場合もあるが、この場合は当該記載は図７Ａ、図９における説明としても用いられる。また、各例にとって共通するデータの内容およびデータ更新の手順の詳細については図７Ａ、図９内の記載も参照して解釈されるべきである。
【００４６】  ステップ（１）：工場内のアクセスポイント８０２との間で各電子タグ１１との同期が行われる。電子タグ１１は所定間隔（一例では１５秒）置きにアクセスポイント８０２との同期を試みる。当該所定間隔はアクセスポイント８０２においても既知であるため、すべての電子タグ１１に対して１５秒以内で同期が完了するように設計されている。本ステップは以下のステップの前準備として行われる。
【００４７】  ステップ（２）：作業員８１が電子タグ１１（一例として電子タグＴ１）をピックアップする。作業員８１は手元の情報読み取り装置８２を用いて荷物５２（一例としてＰ１）および電子タグ１１の情報（一例としては電子タグ１１のバーコード）を読み取る。読み取られた情報は工場内のコントローラ８０１に送信される。作業員８１は電子タグ１１を荷物５２に張り付ける。
【００４８】  ステップ（３）：コントローラ８０１がステップ（２）で読み取った電子タグ１１に対するＳＡＣを、外部サーバ７３に要求する。
【００４９】  ステップ（４）：外部サーバ７３がＳＡＣをコントローラ８０１に返信する。
【００５０】  ステップ（５）：コントローラ８０１が自身に記録されたデータベースにおいてＳＡＣを更新する。図８Ｂはステップ（１）におけるコントローラのデータベースの内容であり、図８Ｃはステップ（５）の後におけるコントローラのデータベースの内容である。両データベースを比較してわかるように、図８Ｃに示すデータベースでは電子タグＴ１に対するＳＡＣが更新されている。
【００５１】  ステップ（６）：コントローラ８０１がＳＡＣをアクセスポイント８０２に送信する。
【００５２】  ステップ（７）：アクセスポイント８０２がＳＡＣを電子タグ１１に送信する。この際、コントローラ８０１が予め自身のＤＢに記録されていた各電子タグ１１の同期時刻をアクセスポイント８０２に通知しておくようにして、かつ、アクセスポイント８０２が当該同期時刻に該当する時刻に各ＳＡＣを送信するようにすることで、アクセスポイント８０２が必要とする通信容量を低減させることができる。また、ＳＡＣは、各電子タグ１１の物理アドレスをＳＡＣに付加して電子タグ１１に送信する。このようにすると、送信のあて先となる電子タグ１１以外の電子タグ１１が誤ってＳＡＣを受信することが防止されやすくなる。
【００５３】  ステップ（８）：ＳＡＣを送られた電子タグ１１がアクセスポイント８０２から送信されるＳＡＣを表示する。電子タグ１１はアクセスポイント８０２に対してアップデートが完了した旨を通知する。なお、この通知は、ＳＡＣを受信してから電子タグ１１の更新インターバル（例えば１５秒）以内に行うようにすると、重複してステップ（８）を行うことが防止できる。
【００５４】  ステップ（９）：アクセスポイント８０２がコントローラに対して、どのタグがアップデートを完了したかを示す情報を通知する（これらの情報に基づいてＴａｂｌｅがアップデートされる）。
【００５５】  以上に述べた仕分け工場内での電子タグ更新手法によれば、積み下ろし後すぐという空き時間を使用して、効率的に電子タグ１１の更新を行うことができる。また、以上の構成に加えてその他の構成を付け加えてもよい。例えば、アクセスポイント８０２の有するアンテナをコンベヤの進行方向を長軸方向とするように偏って指向させることで、電子タグ１１の数が増えても当該タグの更新ミスを防ぐことができる。図８Ａに示すアクセスポイント８０２から延びる破線矢印は、アンテナをコンベヤの進行方向を長軸方向とするように偏って指向させることで生じる指向範囲のイメージである。
【００５６】  ［電子タグ１１のピックアップと同時にＳＡＣを更新する方法］  図９を用いて電子タグ１１のピックアップと同時にＳＡＣを更新する方法について説明する。図９は電子タグのピックアップと同時にＳＡＣを更新する方法について説明する概念図である。
【００５７】  電子タグ１１のピックアップと同時にＳＡＣを更新するステップは以下のように行われる。なお上述した事項と同一または類似する事項については説明を省略する場合がある。また、図７Ａ、図８Ａよりも詳細に記載を行う場合もあるが、この場合は当該記載は図７Ａ、図８Ａにおける説明としても用いられる。また、各例にとって共通するデータの内容およびデータ更新の手順の詳細については図７Ａ、図８Ａ内の記載も参照して解釈されるべきである。
【００５８】  ステップ（１）：作業員９１は手元の情報読み取り装置９２を用いて荷物５２および電子タグ１１の情報（一例としてはバーコード）を読み取る。
【００５９】  ステップ（２）：ステップ（１）で読み取られた情報がコントローラ９０１に送信される。
【００６０】  ステップ（３）：コントローラ９０１が外部サーバ７３にステップ（２）で受信した情報を送信し、当該情報に対応する荷物５２に関するＳＡＣを外部サーバ７３に要求する。
【００６１】  ステップ（４）：コントローラ９０１がＳＡＣを受信する。
【００６２】  ステップ（５）：コントローラ９０１は受信したＳＡＣをタグイジェクタ９２０に送信する。図１０は本開示のタグイジェクタ９２０の構成を示す図である。タグイジェクタ９２０は電子タグ１１を保管する部分９２１と、ＮＦＣ（Ｎｅａｒ  Ｆｉｅｌｄ  Ｃｏｍｍｕｎｉｃａｔｉｏｎ）ライター９２２、情報読取装置９２３、トリガボタン９２４を有する部分９２５（図面左側）とに大別される。タグイジェクタ９２０はメモリ、ＣＰＵ等の計算機機能を有する構成も有する。ＳＡＣはタグイジェクタ９２０のメモリに保存される。メモリに保存されたＳＡＣはＮＦＣライター９２２へ書き込み予定情報として送信される。タグイジェクタ９２０からは最初にタグイジェクタ９２０に投入した電子タグ１１（図１０において下側の電子タグ）の順に、ＮＦＣライター９２２近傍に配置された排出口から排出される。
【００６３】  ステップ（６）：作業員９１がタグイジェクタ９２０のトリガボタン９２４を押下する。
【００６４】  ステップ（７）：トリガボタン９２４の押下に起因して、図１０に示すタグイジェクタの情報読取装置９２３（一例としてはバーコードリーダー）によってＳＡＣを構成するのに必要な荷物５２の情報（一例としてはバーコード）が読み取られる。さらに、これら一連の動作と並行して図１０の電子タグ１１（最下層のもの）がタグイジェクタの下からＮＦＣライター９２２近傍へ移動し、排出されるまでの間にＮＦＣライター９２２から電子タグ１１へコントローラ９０１や外部サーバ７３から受領したＳＡＣが書き込まれる。これらの３つの動作が一つのトリガボタン押下に起因され一連の動作として素早く行われることで、荷物の流れを止めることなく、効率良くＳＡＣ入り電子タグ１１を箱５２に取り付けることができる。
【００６５】  ステップ（８）：電子タグ１１がタグイジェクタ９２０から排出され、荷物に張り付けられる。以上のように電子タグ１１のピックアップと同時にＳＡＣを更新することで、通信設備の簡素化を行うことができる。また、タグにＳＡＣをより確実に記録させることができる。
【００６６】  ［まとめ］  以上述べたように、本開示の電子タグの取り付け構造は電子タグと、前記電子タグを着脱自在に固定し、アジャスタブル素材、またはストレッチ素材に代表される可撓性を有する仲介部材と、前記仲介部材に備えられ、取り付け対象物（荷物等）に着脱自在に固定される固定部材（鉤、ループ構造、粘着素材、ファスナーテープ等）とを有する。
【００６７】  このようにすることで、電子タグを取り付け対象物から簡易に取り外しすることを可能にしつつ、あらゆるサイズの取り付け対象物に対して電子タグを取り付けることができる。また仲介部材の再利用可能性を向上させることもできる。
【００６８】  また、本開示の電子タグの更新方法／システムは、仕分け情報を表示する電子タグと、トラックを例とする車両内に配置されたコントローラ及びアクセスポイントとが行う前記電子タグの更新方法である。そして、前記コントローラが、前記電子タグの情報、および当該電子タグが固定される荷物の情報に対応する前記仕分け情報を送信するように外部サーバへリクエストし取得した前記仕分け情報を前記アクセスポイントへ送信する。さらに前記アクセスポイントが前記仕分け情報を前記電子タグに送信し、前記電子タグが前記仕分け情報の表示を更新する。
【００６９】  このようにすることで、配送中の空き時間を活用して、電子タグの更新を行う事ができる。
【００７０】  また、上述したように、本開示の電子タグの更新方法／システムにおいて、前記電子タグは前記仕分け情報の表示の更新を行った旨を前記アクセスポイントに完了通知として通知し、前記アクセスポイントは前記完了通知を受けた電子タグに関する情報を前記コントローラに送信し、前記コントローラは、前記完了通知を受けた電子タグに表示する前記仕分け情報を除いて、前記外部サーバへ前記仕分け情報を送信するようにリクエストを行うこともできる。
【００７１】  このようにすることで、電子タグとアクセスポイントとの間の通信量を減らすことができる。
【００７２】  また、上述したように、本開示の電子タグの更新方法／システムにおいて、前記車両は、前記車両が目的地に着いたか否かを示す到着情報を生成し、前記完了通知を通知していない前記電子タグが前記車両内に存在し、かつ前記到着情報が前記車両が目的地に着いた旨を示す場合は、前記完了通知を通知していない前記電子タグを前記車両から搬出しないよう出力を行うこともできる。
【００７３】  このようにすることで、より確実に電子タグに最新の仕分け情報を表示させることができる。
【００７４】  また、上述したように、本開示の電子タグの更新方法／システムにおいて、前記コントローラは、所定の時刻を経過するまでは、前記外部サーバへ前記仕分け情報を送信するようにリクエストを行わないようにすることもできる。このようにすることで、いまだ外部サーバにおいて仕分け情報のアップデートが完了していない段階で、コントローラが外部サーバにアクセスすることを防ぐことができる。
【産業上の利用可能性】
【００７５】  本開示の電子タグの更新方法および電子タグの更新システムは荷物の仕分けまたは配送に有用である。
【符号の説明】
【００７６】１１  電子タグ５１  アジャスタブル素材５２  箱６１  ストレッチキャップ９２０  タグイジェクタ
【図１】
2019135339.tif 000003
【図２】
2019135339.tif 000004
【図３】
2019135339.tif 000005
【図４】
2019135339.tif 000006
【図５Ａ】
2019135339.tif 000007
【図５Ｂ】
2019135339.tif 000008
【図５Ｃ】
2019135339.tif 000009
【図６Ａ】
2019135339.tif 000010
【図６Ｂ】
2019135339.tif 000011
【図６Ｃ】
2019135339.tif 000012
【図７Ａ】
2019135339.tif 000013
【図７Ｂ】
2019135339.tif 000014
【図８Ａ】
2019135339.tif 000015
【図８Ｂ】
2019135339.tif 000016
【図８Ｃ】
2019135339.tif 000017
【図９】
2019135339.tif 000018
【図１０】
2019135339.tif 000019
【国際調査報告】
2019135339.tif 000020
2019135339.tif 000021